(57)【要約】【課題】動画コンテンツの高速保存を可能にする、記録装置、記録方法およびプログラムを提供する。【解決手段】所定のビットレートで映像信号をエンコードし、動画コンテンツを生成するＭＰＥＧエンコーダ１０３と、生成された動画コンテンツをＨＤに記録するＨＤドライブ１０５と、記録されている動画コンテンツ自体をＤＶＤ１０に書込むＤＶＤ／ＢＤドライブ１０７と、予め指定されたＤＶＤ１０の容量に応じて動画コンテンツのサイズが調整されるように、所定のビットレートを設定するシステム制御部１１５と、を備える。これにより、コンテンツが書込み時のビットレートで予め生成されているので、再エンコード処理なしに、コンテンツのＤＶＤ１０への書込みが可能となり、動画コンテンツを高速保存することができる。【選択図】図１
2011086340.tif 000002
【特許請求の範囲】
【請求項１】
所定のビットレートで映像信号をエンコードし、動画コンテンツを生成する生成部と、
前記生成された動画コンテンツを第１記録媒体に記録する記録部と、
前記記録されている動画コンテンツ自体を第２記録媒体に書込む書込み部と、
予め指定された前記第２記録媒体の容量に応じて前記動画コンテンツのサイズが調整されるように、前記所定のビットレートを設定する制御部と、
を備える記録装置。
【請求項２】
前記所定のビットレートは、前記所定のビットレートで生成された動画コンテンツのサイズが前記第２記録媒体の容量以下となるように自動的に設定される、請求項１に記載の記録装置。
【請求項３】
前記自動的に設定された所定のビットレートがユーザーにより変更される、請求項２に記載の記録装置。
【請求項４】
前記動画コンテンツが２以上の動画コンテンツである、請求項１に記載の記録装置。
【請求項５】
前記所定のビットレートが前記各動画コンテンツの設定項目として設定される、請求項４に記載の記録装置。
【請求項６】
前記第１記録媒体に記録する動画コンテンツの一覧が表示される、請求項４に記載の記録装置。
【請求項７】
前記所定のビットレートが前記動画コンテンツの種類に応じて自動的に設定される、請求項１に記載の記録装置。
【請求項８】
前記第１記録媒体は、ハードディスクまたはフラッシュメモリであり、前記第２記録媒体は、可搬性の補助記録装置である、請求項１に記載の記録装置。
【請求項９】
所定のビットレートで映像信号をエンコードし、動画コンテンツを生成するステップと、
前記生成された動画コンテンツを第１記録媒体に記録するステップと、
前記記録されている動画コンテンツ自体を第２記録媒体に書込むステップと、
を含み、
動画コンテンツを生成するステップの前に、予め指定された前記第２記録媒体の容量に応じて前記動画コンテンツのサイズが調整されるように、前記所定のビットレートを設定する、記録方法。
【請求項１０】
所定のビットレートで映像信号をエンコードし、動画コンテンツを生成するステップと、
前記生成された動画コンテンツを第１記録媒体に記録するステップと、
前記記録されている動画コンテンツ自体を第２記録媒体に書込むステップと、
を含み、
動画コンテンツを生成するステップの前に、予め指定された前記第２記録媒体の容量に応じて前記動画コンテンツのサイズが調整されるように、前記所定のビットレートを設定する、記録方法をコンピュータに実行させるためのプログラム。
【発明の詳細な説明】
【技術分野】
【０００１】
本発明は、記録装置、記録方法およびプログラムに関する。
【背景技術】
【０００２】
ハードディスク（ＨＤ）レコーダの普及に伴って、多数の動画コンテンツをＨＤに一旦記録し、必要に応じてＤＶＤ（Ｄｉｇｉｔａｌ  Ｖｅｒｓａｔｉｌｅ  Ｄｉｓｃ）、ＢＤ（Ｂｕｌｕ−ｒａｙ  Ｄｉｓｃ）等の記録媒体に書き込んで保存するという利用形態が一般化しつつある。さらに、ＨＤに代わるＳＳＤ（Ｓｏｌｉｄ  Ｓｔａｔｅ  Ｄｒｉｖｅ）の開発に伴って、このような利用形態が従来以上に一般化することが想定される。そして、コンテンツの整理上、大容量のコンテンツ、一連のコンテンツ等を１枚のＤＶＤ、ＢＤに保存することが望まれる場合がある。
【０００３】
従来、ＨＤ等に記録されている動画コンテンツは、保存先となるＤＶＤ等の容量に応じてサイズが調整されるように、所定のビットレートで再エンコードした上でＤＶＤ等に保存されている（特許文献１参照）。
【先行技術文献】
【特許文献】
【０００４】
【特許文献１】特開２００３−３０９８０６号公報
【発明の概要】
【発明が解決しようとする課題】
【０００５】
しかし、上記の方法では、動画コンテンツの再エンコードに多くの時間を要するので、コンテンツを高速保存することができなかった。
【０００６】
そこで、本発明は、動画コンテンツの高速保存を可能にする、記録装置、記録方法およびプログラムを提供しようとするものである。
【課題を解決するための手段】
【０００７】
本発明の第１の実施形態によれば、所定のビットレートで映像信号をエンコードし、動画コンテンツを生成する生成部と、生成された動画コンテンツを第１記録媒体に記録する記録部と、記録されている動画コンテンツ自体を第２記録媒体に書込む書込み部と、予め指定された第２記録媒体の容量に応じて動画コンテンツのサイズが調整されるように、所定のビットレートを設定する制御部と、を備える記録装置が提供される。
【０００８】
また、上記所定のビットレートは、所定のビットレートで生成された動画コンテンツのサイズが第２記録媒体の容量以下となるように自動的に設定されてもよい。ここで、上記自動的に設定された所定のビットレートがユーザーにより変更されてもよい。
【０００９】
また、上記動画コンテンツが２以上の動画コンテンツでもよい。ここで、上記所定のビットレートが各動画コンテンツの設定項目として設定されてもよい。また、上記第１記録媒体に記録する動画コンテンツの一覧が表示されてもよい。
【００１０】
また、上記所定のビットレートが動画コンテンツの種類に応じて自動的に設定されてもよい。
【００１１】
また、上記第１記録媒体は、ハードディスクまたはフラッシュメモリであり、上記第２記録媒体は、可搬性の補助記録装置でもよい。
【００１２】
かかる構成によれば、予め指定された第２記録媒体の容量に応じて動画コンテンツのサイズが調整されるように、所定のビットレートが設定される。そして、コンテンツが所定のビットレートで生成されて第１記録媒体に記録され、記録されているコンテンツ自体が第２記録媒体に書き込まれる。これにより、コンテンツが書込み時のビットレートで予め生成されているので、再エンコード処理なしに、コンテンツの第２記録媒体への書込みが可能となり、動画コンテンツを高速保存することができる。
【００１３】
また、本発明の第２の実施形態によれば、所定のビットレートで映像信号をエンコードし、動画コンテンツを生成するステップと、生成された動画コンテンツを第１記録媒体に記録するステップと、記録されている動画コンテンツ自体を第２記録媒体に書込むステップと、を含み、動画コンテンツを生成するステップの前に、予め指定された第２記録媒体の容量に応じて動画コンテンツのサイズが調整されるように、所定のビットレートを設定する、記録方法が提供される。
【００１４】
また、本発明の第３の実施形態によれば、前述した記録方法をコンピュータに実行させるためのプログラムが提供される。プログラムは、コンピュータ読取り可能な記録媒体を用いて提供されてもよく、通信手段を介して提供されてもよい。
【発明の効果】
【００１５】
本発明によれば、動画コンテンツの高速保存を可能にする、記録装置、記録方法およびプログラムを提供することができる。
【図面の簡単な説明】
【００１６】
【図１】本発明の一実施形態に係る記録装置の主要な構成を示すブロック図である。
【図２】第１の実施形態に係る動画コンテンツの記録方法を示すフロー図である。
【図３】記録装置による記録動作を説明するための図である。
【図４】記録装置による保存動作を説明するための図である。
【図５】記録装置による記録動作の変形例を説明するための図（１／２）である。
【図６】記録装置による記録動作の変形例を説明するための図（２／２）である。
【図７】記録装置による保存動作の変形例を説明するための図である。
【図８】第２の実施形態に係る動画コンテンツの記録方法を示すフロー図である。
【図９】保存媒体の設定処理を示すフロー図である。
【図１０】コンテンツの選択処理を示すフロー図である。
【図１１】コンテンツの記録処理を示すフロー図である。
【図１２】コンテンツの保存処理を示すフロー図である。
【図１３】保存媒体の設定処理を説明するための図である。
【図１４】コンテンツの選択処理を説明するための図である。
【図１５】コンテンツの保存処理を説明するための図である。
【発明を実施するための形態】
【００１７】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１８】
以下では、本発明の一実施形態として、ＨＤレコーダおよびＤＶＤ／ＢＤレコーダの機能を有するレコーダ１００について説明する。レコーダ１００では、多数の動画コンテンツがＨＤに一旦記録され、必要に応じてＤＶＤ１０（またはＢＤ）に書き込んで保存される。なお、レコーダ１００は、ＨＤレコーダに代えて、フラッシュメモリを用いたＳＳＤ（Ｓｏｌｉｄ  Ｓｔａｔｅ  Ｄｒｉｖｅ）に対応するものでもよい。
【００１９】
動画コンテンツは、１以上のＶＯＢ（Ｖｉｄｅｏ  Ｏｂｊｅｃｔ）、および１以上のＶＯＢの管理情報からなる。ＶＯＢは、映像ストリームおよび音声ストリームがインターリーブ多重化されたデータ構造体である。なお、以下では、管理情報を省略し、ＶＯＢ自体が動画コンテンツであるとして説明する。
【００２０】
［１．レコーダ１００の構成］
図１は、本発明の一実施形態に係るレコーダ１００の主要な構成を示すブロック図である。レコーダ１００は、チューナ１０１、ＭＰＥＧエンコーダ１０３（生成部）、ＨＤドライブ１０５（記録部）、ＤＶＤ／ＢＤドライブ１０７（書込み部）、ＭＰＥＧデコーダ１０９、ＧＵＩ合成部１１１、通信インターフェイス１１３（ＩＦ）、システム制御部１１５（制御部）、バス１１７、リモートコントローラ１１９を含む。システム制御部１１５は、記録制御部１２１、ドライブ制御部１２３、ＧＵＩ制御部１２５および通信制御部１２７を含む。
【００２１】
チューナ１０１は、アンテナ１３１を介して受信した放送波を復調し、映像信号および音声信号をＭＰＥＧエンコーダ１０３に供給する。ＭＰＥＧエンコーダ１０３は、映像信号および音声信号をエンコードし、動画コンテンツを生成する。ＭＰＥＧエンコーダ１０３は、システム制御部１１５から指定されたビットレートで映像信号をエンコードする。
【００２２】
ビットレートは、単位時間当たりの映像を表現するために用いられるビット数である。ビットレートを高くすると、コンテンツの高画質再生が可能となる反面、コンテンツのサイズが増加し、ビットレートを低くすると、高画質再生が不能となる反面、サイズが抑制可能となる。
【００２３】
ＨＤドライブ１０５は、ＭＰＥＧエンコーダ１０３により生成された動画コンテンツをＨＤに記録する。ＤＶＤ／ＢＤドライブ１０７は、装着されたＤＶＤ等１０に対して動画コンテンツの書込み／読出しを行う。
【００２４】
ＭＰＥＧデコーダ１０９は、動画コンテンツをデコードし、映像信号および音声信号を得る。ＧＵＩ合成部１１１は、ＭＰＥＧデコーダ１０９から供給される映像信号にＧＵＩメニューを重畳して外部の表示装置１３３に出力する。バス１１７は、ＭＰＥＧエンコーダ１０３、ＨＤドライブ１０５、ＤＶＤ／ＢＤドライブ１０７、ＭＰＥＧデコーダ１０９を相互接続する。
【００２５】
ＭＰＥＧエンコーダ１０３は、いずれも不図示の映像エンコーダ、音声エンコーダ、システムエンコーダを含む。映像エンコーダは、チューナ１０１から供給される映像信号を所定区間長でエンコードし、映像データの集合（映像データ群）を得る。音声エンコーダは、音声信号を所定区間長でエンコードし、音声フレームの集合を得る。
【００２６】
映像エンコーダは、システム制御部１１５から指定されたビットレートで、コンテンツの再生単位であるＶＯＢＵ（Ｖｉｄｅｏ  Ｏｂｊｅｃｔ  Ｕｎｉｔ）をエンコードする。映像エンコーダは、設定されたビットレートをＶＯＢＵのシステムヘッダに記述する。システムヘッダは、ＶＯＢＵの先頭に配されるヘッダ情報である。ＶＯＢＵのデコード時には、ヘッダ情報を参照することで、ＶＯＢＵを転送するための転送レートを知ることができる。システムエンコーダは、映像データ群と音声フレームの集合をインターリーブ多重化し、ＶＯＢＵを生成する。
【００２７】
通信インターフェイス１１３は、ネットワークＮに接続可能であり、外部機器１３５等から番組表等の番組情報（コンテンツ情報）を取得する。なお、番組情報は、映像・音声信号に多重化された情報として、チューナ１０１により取得されてもよい。リモートコントローラ１１９は、ＧＵＩメニューに対するユーザーの操作入力を取得する。
【００２８】
システム制御部１１５は、ＣＰＵ、ＲＯＭ、ＲＡＭを含む。ＣＰＵは、レコーダ１００の各部を制御するために、ＲＯＭに格納されているプログラムをＣＰＵに実行させる。プログラムは、記録制御部１２１、ドライブ制御部１２３、ＧＵＩ制御部１２５、通信制御部１２７として機能する。
【００２９】
記録制御部１２１は、動画コンテンツをＨＤに記録するために、ＭＰＥＧエンコーダ１０３およびＨＤドライブ１０５を制御する。記録制御部１２１は、映像信号および音声信号をエンコードして動画コンテンツを生成するようにＭＰＥＧエンコーダ１０３を制御し、動画コンテンツをＨＤに書き込むようにＨＤドライブ１０５を制御する。
【００３０】
記録制御部１２１は、ＭＰＥＧエンコーダ１０３のために、エンコード時のビットレートを設定する。エンコード時のビットレートは、記録時に設定可能な各種の画質モードに対応している。画質モードは、例えば、高画質モード（９．５Ｍｂｐｓ）、標準画質モード（４．７Ｍｂｐｓ）、低画質モード（２．４Ｍｂｐｓ）等として予め設定されている。なお、エンコード時のビットレートは、画質モードに対応する段階的なビットレートに代えて、０．１Ｍｂｐｓ単位等、無段階的なビットレートとして設定されてもよい。
【００３１】
ドライブ制御部１２３は、動画コンテンツをＨＤドライブ１０５から読み出させ、ＤＶＤ１０等に書き込ませることで、コンテンツをＤＶＤ１０等に保存する。コンテンツは、再エンコード処理またはドライブ間コピー処理のいずれかにより保存される。通信制御部１２７は、通信インターフェイス１１３を制御して外部機器１３５から番組情報を取得する。
【００３２】
再エンコード処理は、ＨＤから読み出されたコンテンツをＭＰＥＧデコーダ１０９により一旦デコードした後に、ＭＰＥＧエンコーダ１０３により再エンコードしてＤＶＤ１０等に書き込む処理方法である。動画コンテンツは、バス１１７を介してＨＤ→ＭＰＥＧデコーダ１０９→ＭＰＥＧエンコーダ１０３→ＤＶＤ１０という経路で保存される。再エンコード処理では、動画コンテンツを映像信号および音声信号に一旦デコードするので、動画コンテンツの再生時間と同程度の処理時間が要求される。
【００３３】
一方、ドライブ間コピー処理は、ＨＤから読み出されたコンテンツをＤＶＤ１０等に直接書き込む処理方法である。動画コンテンツは、バス１１７を介してＨＤ→ＤＶＤ１０という経路で保存される。ドライブ間コピー処理では、再エンコードが不要であるので、動画コンテンツの再生時間よりも各段に短い処理時間しか要求されない。
【００３４】
記録制御部１２１は、エンコード処理時に次式によりビットレートを設定する。なお、ＤＶＤ１０等に既にデータが保存されている場合、次式中の「ＤＶＤ等１０の容量」は、保存済みのデータのサイズを差し引いた値となる。しかし、保存済みデータを考慮すると説明が煩雑となるので、以下では、保存先のＤＶＤ１０等がブランクディスクである場合を想定して説明する。
ビットレート（ｂｐｓ）≦ＤＶＤ等の容量（バイト）÷コンテンツ再生時間（ｓ）×８
【００３５】
ＧＵＩ制御部１２５は、映像信号に合成するためのＧＵＩメニューを生成するとともに、ユーザーの操作入力に応じてレコーダ１００を制御する。ユーザーは、ＧＵＩメニューに対するリモートコントローラ１１９の操作を介して、例えば保存するコンテンツを決定する。
【００３６】
［２．第１の実施形態に係る動画コンテンツの記録方法］
以下では、図２〜図４を参照しながら、第１の実施形態に係る動画コンテンツの記録方法について説明する。
【００３７】
図２は、第１の実施形態に係る動画コンテンツの記録方法を示すフロー図である。図３および図４は、レコーダ１００による記録動作および保存動作を各々に説明するための図である。
【００３８】
（記録動作）
記録処理の開始に先立って、保存先となるＤＶＤ１０、および記録するコンテンツが選択される（ステップＳ１０１、Ｓ１０３）。そして、ＤＶＤ１０の容量および記録するコンテンツの標準サイズ（再生時間に相当する。）に基づいて、記録時のビットレート（設定ビットレート）が設定される（Ｓ１０５）。
【００３９】
ＧＵＩ制御部１２５は、図２に示すような記録処理メニューＭ１を生成する。記録処理は、記録処理メニューＭ１を通じたユーザーの操作入力に応じて行われる。記録処理メニューＭ１には、記録タイトル表示エリアＡ１１、ＤＶＤ選択エリアＡ１２、コンテンツ選択エリアＡ１３、処理情報表示エリアＡ１４が表示されている。
【００４０】
記録タイトルは、各記録処理を識別するための識別情報であり、ユーザーにより指定されてもよく、レコーダ１００により自動的に設定されてもよい。
【００４１】
ＤＶＤ選択エリアＡ１２では、コンテンツの保存先となるＤＶＤ１０が選択される。ＤＶＤ１０は、ＤＶＤ−ＲＡＭ、ＤＶＤ−Ｒ、ＤＶＤ−ＲＷ、ＤＶＤ＋ＲＷ等であり、５．１６ＧＢ、７．９ＧＢ、８．５ＧＢ、９．４ＧＢ、１７．０ＧＢ等、種類に応じて容量が異なる。ユーザーは、リモートコントローラ１１９の操作によりＤＶＤ選択エリアＡ１２上でカーソルＣを移動させて、所望のＤＶＤ１０を選択する。
【００４２】
コンテンツ選択エリアＡ１３では、記録するコンテンツが選択される。コンテンツ選択エリアＡ１３には、例えば不図示の番組表等を用いて指定された１以上のコンテンツの情報が表示されている。コンテンツ情報は、コンテンツのタイトル、放送日時、放送時間、放送チャンネル等を含む。コンテンツ選択エリアＡ１３には、各コンテンツの選択をオン／オフするためのチェックボックスＣＢが表示されている。ユーザーは、番組表等を用いてコンテンツを指定し、各コンテンツに対応するチェックボックスＣＢをコンテンツ選択エリアＡ１３上でオン／オフ操作することで、記録するコンテンツを選択する。
【００４３】
処理情報表示エリアＡ１４には、記録処理の内容を示す情報が表示されている。処理情報表示エリアＡ１４には、選択されている全てのコンテンツについての再生時間、設定画質モード、標準画質モード／設定画質モードでの必要容量等が表示されている。なお、以下では、記録処理のタイトル、選択されているＤＶＤ１０およびコンテンツ、記録処理の内容を示す情報を記録処理情報とも称する。記録処理情報は、システム制御部１１５により記録処理毎に管理される。
【００４４】
ここで、再生時間は、標準画質モードでの再生時間（コンテンツの放送時間に相当する。）を意味し、設定画質モードは、エンコード時の画質（ビットレートを規定する。）を意味する。標準画質モード／設定画質モードでの必要容量は、標準画質モード／設定画質モードでエンコードしたコンテンツをＨＤに記録するために必要な容量を意味し、標準画質モードでの必要容量は、コンテンツの標準サイズに相当する。
【００４５】
記録制御部１２１は、次のように設定画質モードを設定する。図３では、記録タイトルが「連続ドラマ○○○」として指定されている。また、８．５ＧＢのＤＶＤ１０が選択され、コンテンツ１〜３（再生時間：２時間／コンテンツ）が選択されている。そして、標準画質モードでの必要容量が１２．６９ＧＢ（＝４．７Ｍｂｐｓ×６ｈ×３６００ｓ÷８）となる。よって、標準画質モードでは、選択されているＤＶＤ１０にコンテンツ１〜３を保存することができない。
【００４６】
一方、低画質モードでの必要容量が６．４８ＧＢ（＝２．４Ｍｂｐｓ×６ｈ×３６００ｓ÷８）となる。よって、低画質モードでは、コンテンツ１〜３をＤＶＤ１０に保存することができる。このため、記録制御部１２１は、設定画質モードを低画質モードに設定する。処理情報表示エリアＡ１４には、設定画質モードとして低画質モードが表示されている。
【００４７】
ここで、ユーザーは、記録制御部１２１により設定された設定画質モードを変更することができる。例えば、標準画質モードで保存したければ、ユーザーは、コンテンツ選択エリアＡ１３上でコンテンツの選択を部分的に解除し、設定画質モードを標準画質モードに変更する。設定画質モードは、例えば、設定画質モードの表示領域に表示されるプルダウンメニューＰＤを介して変更される。例えばコンテンツ３の選択を解除すれば、標準画質モードでのコンテンツ１、２の必要容量が８．４６ＧＢ（＝４．７Ｍｂｐｓ×４ｈ×３６００ｓ÷８）となる。よって、選択されているＤＶＤ１０に標準画質モードでコンテンツ１、２を保存することができる。
【００４８】
ユーザーは、記録処理情報を確認した上で、記録処理を開始したければ「ＯＫ」ボタンＢ１を押下し、中止したければ「キャンセル」ボタンＢ２を押下する。これにより、記録処理が開始または中止される。
【００４９】
記録制御部１２１は、選択されているコンテンツおよび設定ビットレート（設定画質モード）に基づいて、動画コンテンツの記録処理を行う。記録する各コンテンツの放送時間が到来すると、システム制御部１１５は、チューナ１０１を制御し、記録制御部１２１は、ＭＰＥＧエンコーダ１０３およびＨＤドライブ１０５を制御し、各コンテンツの記録処理を開始する。
【００５０】
記録処理が開始されると、コンテンツの映像・音声信号が入力され、設定ビットレートでエンコードされてコンテンツが生成され、生成されたコンテンツがＨＤに記録される（Ｓ１０７〜Ｓ１１１）。そして、選択されている全てのコンテンツが記録されるまで、エンコードおよび記録が行われる（Ｓ１１３）。
【００５１】
チューナ１０１は、記録する各コンテンツのコンテンツ情報に基づいて、各コンテンツに対応する放送波を受信して復調し、映像信号および音声信号を得てＭＰＥＧエンコーダ１０３に供給する。ＭＰＥＧエンコーダ１０３は、記録制御部１２１から指定される設定ビットレートで映像信号および音声信号をエンコードし、コンテンツを生成する。ＨＤドライブ１０５は、ＭＰＥＧエンコーダ１０３により生成されたコンテンツをＨＤに記録する。
【００５２】
（保存動作）
記録処理が終了すると、ＧＵＩ制御部１２５は、図４に示すような保存処理メニューＭ２を生成する。保存処理は、保存処理メニューＭ２を通じたユーザーの操作入力に応じて行われる。保存処理メニューＭ２には、保存タイトル表示エリアＡ２１、選択ＤＶＤ表示エリアＡ２２、コンテンツ選択エリアＡ２３、処理情報表示エリアＡ２４が表示されている。
【００５３】
保存タイトルは、記録タイトルに対応する識別情報であり、ユーザーにより指定されてもよく、レコーダ１００により自動的に設定されてもよい。図３では、保存タイトルが記録タイトルと同じ「連続ドラマ○○○」と設定されている。
【００５４】
選択ＤＶＤ表示エリアＡ２２では、選択されているＤＶＤ１０が識別可能に表示されている。コンテンツ選択エリアＡ２３では、保存するコンテンツが選択される。コンテンツ選択エリアＡ２３には、記録処理によりＨＤに記録されている１以上のコンテンツの情報が表示されている。コンテンツ選択エリアＡ２３には、チェックボックスＣＢが表示されている。ユーザーは、各コンテンツに対応するチェックボックスＣＢをコンテンツ選択エリアＡ２３上でオン／オフ操作することで、保存するコンテンツを選択する。
【００５５】
処理情報表示エリアＡ２４には、保存処理の内容を示す情報が表示されている。処理情報表示エリアＡ２４には、選択されている全てのコンテンツについての再生時間、設定画質モード、設定画質モードでの必要容量等の情報が含まれている。なお、以下では、保存処理のタイトル、選択されているＤＶＤ１０およびコンテンツ、保存処理の内容を示す情報を保存処理情報とも称する。
【００５６】
図４では、保存タイトルが「連続ドラマ○○○」として設定されている。また、８．５ＧＢのＤＶＤ１０が選択され、コンテンツ１〜３（再生時間：２時間／コンテンツ）が選択されている。コンテンツ１〜３の設定画質モードは、低画質モードに設定されている。よって、処理情報表示エリアＡ２４には、再生時間「６時間」、設定画質モード（低画質モード）での必要容量「６．４８ＧＢ」が表示されている。
【００５７】
ここで、ユーザーは、保存するコンテンツを変更することができる。例えば、コンテンツ１、２のみを保存したければ、ユーザーは、コンテンツ選択エリアＡ２３上でコンテンツ３の選択を解除すればよい。この場合、処理情報表示エリアＡ２４には、再生時間「４時間」、設定画質モードでの必要容量「４．３２ＧＢ」が表示される。
【００５８】
ユーザーは、保存処理情報を確認した上で、保存処理を開始したければ「ＯＫ」ボタンＢ１を押下し、中止したければ「キャンセル」ボタンＢ２を押下する。これにより、保存処理が開始または中止される。なお、保存処理を行わない場合には、保存処理に対応する記録処理情報が削除されてもよい。
【００５９】
「ＯＫ」ボタンＢ１が押下されると、ＤＶＤ１０の装着確認を促すメッセージ（不図示）が表示され、保存処理情報に基づいてＤＶＤ１０の装着が確認されると、保存処理が開始される（Ｓ１１５）。
【００６０】
ドライブ制御部１２３は、選択されているＤＶＤ１０およびコンテンツの情報に基づいて、動画コンテンツの保存処理を行う。ドライブ制御部１２３は、ＨＤドライブ１０５およびＤＶＤ／ＢＤドライブ１０７を制御し、保存する各コンテンツの保存処理を開始する。
【００６１】
保存処理が開始されると、コンテンツがＨＤから読出され、設定ビットレートでＤＶＤ１０に書き込まれて保存される（Ｓ１１７、Ｓ１１９）。そして、選択されている全てのコンテンツが保存されるまで、読出しおよび書込みが行われる（Ｓ１２１）。
【００６２】
ＨＤドライブ１０５は、コンテンツをＨＤから読出し、ＤＶＤ／ＢＤドライブ１０７は、バス１１７を介して伝送されるコンテンツをＤＶＤ１０に直接書込む。つまり、保存処理では、再エンコード処理が行われず、ドライブ間コピー処理が行われる。このため、保存処理では、再エンコードが不要であるので、コンテンツの再生時間よりも各段に短い処理時間で、コンテンツを保存することができる。
【００６３】
なお、ドライブ間コピー処理では、コンテンツがＨＤに記録されている状態で、同一のコンテンツがＤＶＤ１０にも書き込まれることになる。このため、ＤＶＤ１０に書き込まれたコンテンツは、ＨＤから削除されてもよい。また、場合によっては、設定ビットレート以外のビットレートでコンテンツをＤＶＤ１０に書き込むために、再エンコード処理が行われてもよい。また、選択されているＤＶＤ１０以外のＤＶＤに保存するために、ＤＶＤ１０の選択が変更されてもよい。
【００６４】
［３．第１の実施形態の変形例］
以下では、図５〜図７を参照しながら、レコーダ第１の実施形態に係る動画コンテンツの記録方法の変形例について説明する。図５および図６は、レコーダ１００による記録動作の変形例を説明するための図であり、図７は、レコーダ１００による保存動作の変形例を説明するための図である。
【００６５】
（記録動作）
記録動作の変形例では、図５に示すような記録処理メニューＭ１´が利用される。コンテンツ選択エリアＡ１３´には、コンテンツ情報として、コンテンツのタイトル、放送日時、放送時間、放送チャンネル等の他に、コンテンツの種類が表示されている。また、コンテンツ選択エリアＡ１３´には、コンテンツ毎に設定画質モードがプルダウンメニューＰＤの一部として表示されている。
【００６６】
ここで、コンテンツの種類は、映画、ドラマ、ニュース等、コンテンツの内容自体でもよく、ＢＳ放送、ＣＳ放送、地上波放送等、コンテンツの提供形態でもよい。コンテンツの種類は、番組表等に含まれる番組情報に基づいて特定される。
【００６７】
変形例では、設定画質モードをコンテンツ毎に設定することができる。設定画質モードは、図６に示すように、コンテンツの種類毎に予め既定値として設定されている。例えば、コンテンツの内容（または提供形態）に応じて、映画（ＢＳ放送）、ドラマ（ＣＳ放送）、ニュース（地上波放送）の順で、高画質モード、標準画質モード、低画質モードとして各々に既定されている。また、設定画質モードは、コンテンツの内容自体および提供形態の組合せに応じて既定されてもよい。なお、設定画質モードの既定値は、ユーザーにより任意に変更されてもよい。
【００６８】
記録制御部１２１は、次のように設定画質モードを設定する。図５では、記録タイトルが「９月第１週のコンテンツ」と指定されている。また、８．５ＧＢのＤＶＤ１０が選択され、コンテンツ１〜３が選択されている。コンテンツ１〜３の種類は、各々に「映画」（再生時間：１．５時間）、「ドラマ」（同：０．５時間）、「ニュース」（同：０．５時間）である。
【００６９】
ここで、コンテンツ１〜３の設定画質モードは、図６の既定値に従って、高画質モード、標準画質モード、低画質モードに各々に設定されている。この場合、コンテンツ１、２、３の必要容量は、各々に６．４１ＧＢ（＝９．５Ｍｂｐｓ×１．５ｈ×３６００ｓ÷８）、１．０６ＧＢ（＝４．７Ｍｂｐｓ×０．５ｈ×３６００ｓ÷８）、０．５４ＧＢ（＝２．４Ｍｂｐｓ×０．５ｈ×３６００ｓ÷８）となり、合計で８．０１ＧＢとなる。よって、既定の設定画質モードでは、選択されているＤＶＤ１０にコンテンツ１〜３を保存するこができる。
【００７０】
ここで、ユーザーは、各コンテンツの設定画質モードを変更することができる。例えば、コンテンツ２を高画質モードで保存したければ、ユーザーは、コンテンツ選択エリアＡ１３´上で、プルダウンメニューＰＤによりコンテンツ１の設定画質モードを標準画質モードに変更し、コンテンツ２の設定画質モードを高画質モードに変更する。これにより、コンテンツ１、２、３の必要容量は、各々に３．１７ＧＢ（＝４．７Ｍｂｐｓ×１．５ｈ×３６００ｓ÷８）、２．１４ＧＢ（＝９．５Ｍｂｐｓ×０．５ｈ×３６００ｓ÷８）、０．５４ＧＢとなり、合計で５．８５ＧＢとなる。よって、設定画質モードを変更することで、選択されているＤＶＤ１０にコンテンツ２を高画質モードで保存することができる。
【００７１】
（保存動作）
保存動作の変形例では、図７に示すような保存処理メニューＭ２´が利用される。コンテンツ選択エリアＡ２３´には、コンテンツ情報として、コンテンツのタイトル、放送日時、放送時間、放送チャンネル等の他に、コンテンツの種類および設定画質モードが表示されている。
【００７２】
図７では、保存タイトルが「９月第１週のコンテンツ」と指定されている。また、８．５ＧＢのＤＶＤ１０が選択され、コンテンツ１〜３（再生時間：合計２．５時間）が選択されている。コンテンツ１、２、３の設定画質モードは、高画質モード、標準画造モード、低画質モードに各々に設定されている。よって、処理情報表示エリアＡ２４´には、再生時間「２．５時間」、設定画質モードでの必要容量「８．０１ＧＢ」が表示されている。
【００７３】
ここで、ユーザーは、保存するコンテンツを変更することができる。例えば、コンテンツ１、２のみを保存したければ、ユーザーは、コンテンツ選択エリアＡ２３´上でコンテンツ３の選択を解除すればよい。この場合、処理情報表示エリアＡ２４´には、再生時間「２時間」、設定画質モードでの必要容量「７．４７ＧＢ」が表示される。
【００７４】
なお、場合によっては、設定ビットレート以外のビットレートで各コンテンツをＤＶＤ１０に書き込むために、コンテンツ毎に再エンコード処理が行われてもよい。また、選択されているＤＶＤ１０以外のＤＶＤに保存するために、ＤＶＤ１０の選択が変更されてもよい。
【００７５】
［４．第２実施形態に係る動画コンテンツの記録方法］
以下では、図８〜図１５を参照しながら、第２の実施形態に係る動画コンテンツの記録方法について説明する。
【００７６】
図８は、第２の実施形態に係る動画コンテンツの記録方法を示すフロー図である。図９、図１０、図１１、図１２は、保存媒体の設定処理、コンテンツの選択処理、コンテンツの記録処理、コンテンツの保存処理を各々に示すフロー図である。図１３、図１４、図１５は、保存媒体の設定処理、コンテンツの選択処理、コンテンツの保存処理を各々に説明するための図である。
【００７７】
図８に示すように、レコーダ１００は、保存媒体の設定（ステップＳ２０１）、コンテンツの選択（または指定）（Ｓ２０３）、コンテンツの記録（Ｓ２０３）、およびコンテンツの保存（Ｓ２０３）の順で処理を行う。ここで、保存媒体の設定は、初期設定の処理として行われ、コンテンツの選択（または指定）、記録、保存は、初期設定後の通常処理として行われる。
【００７８】
（保存媒体の設定処理）
レコーダ１００は、図９に示す手順に従って保存媒体の設定処理（Ｓ２０１）を行う。
【００７９】
保存媒体の設定処理（Ｓ２０１）は、図１３に示すような保存媒体設定メニューＭ１１を用いて行われる。保存媒体設定メニューＭ１１には、保存媒体として選択可能な媒体のリストが表示される（Ｓ２１１）。
【００８０】
ユーザーは、保存媒体の容量を意識せずに、媒体のリストから保存媒体を選択することができる（Ｓ２１３）。保存媒体は、例えば「ＢＤ−Ｒ１層」、「ＢＤ−Ｒ２層」、「ＤＶＤ−Ｒ１層」、「ＤＶＤ−Ｒ２層」のいずれか１つとして選択される。
【００８１】
ユーザーが保存媒体を選択すると、レコーダ１００は、選択された保存媒体を保存媒体情報として記録する（Ｓ２１５）。なお、図１３に示す例では、保存媒体として「ＢＤ−Ｒ片面」が選択されている。
【００８２】
（コンテンツの選択処理）
保存媒体の設定処理（Ｓ２０１）が完了した後にユーザーがコンテンツの選択処理（Ｓ２０３）を指示すると、レコーダ１００は、図１０に示す手順に従ってコンテンツの選択処理（Ｓ２０３）を行う。
【００８３】
なお、以下では、記録予約の候補となるコンテンツが提示され、記録予約の対象となるコンテンツがユーザーにより選択される場合を想定して説明する。しかし、記録予約の対象となるコンテンツは、ユーザーにより指定されてもよい。
【００８４】
レコーダ１００は、番組表等のコンテンツ情報を取得する（Ｓ２２１）。コンテンツ情報は、通信インターフェイス１１３および／またはチューナ１０１を介して取得される。コンテンツ情報には、コンテンツの編成情報、コンテンツの情報（名称、カテゴリ、出演者等）等が含まれている。
【００８５】
レコーダ１００は、コンテンツ情報を用いて、所定の分類基準（コンテンツの名称、カテゴリ、出演者等）に従ってコンテンツを分類し、コンテンツ集合を定義する（Ｓ２２３）。コンテンツ集合とは、例えば、一連のシリーズを構成するコンテンツの集合、同一のカテゴリに属するコンテンツの集合、同一の出演者を有するコンテンツの集合である。
【００８６】
レコーダ１００は、ユーザーの嗜好情報を用いて、ユーザーの嗜好に該当するコンテンツ集合を、記録予約の候補となるコンテンツ集合として特定する（Ｓ２２５）。ユーザーの嗜好情報は、ユーザーにより設定されてもよく、コンテンツの視聴履歴に基づいて生成されてもよい。
【００８７】
記録予約の候補となるコンテンツ集合を特定すると、レコーダ１００は、図１４に示すようなコンテンツ選択メニューＭ１２を生成する。コンテンツ選択メニューＭ１２には、記録予約可能なコンテンツ集合のリストが表示される（Ｓ２２７）。コンテンツ集合は、例えば「コンテンツ１」、「コンテンツ２」、…として、コンテンツの提供日、提供時間帯、カテゴリ、提供元等の情報とともに表示される。図１４に示す例では、コンテンツ集合である「コンテンツ１」等は、「連続ドラマ○○○」等、一連のシリーズを構成するコンテンツ自体の名称を表している。
【００８８】
ユーザーが記録予約の対象となるコンテンツ集合を選択すると（Ｓ２２９）、レコーダ１００は、確認メッセージＭｓｇ１を用いて、記録予約の確認をユーザーに促す。「ＯＫ」ボタンＢ１の操作を通じて記録予約が確認されると、レコーダ１００は、選択されたコンテンツ集合を示す記録予約情報を記録する（Ｓ２３１）。ここで、選択されたコンテンツ集合に含まれるコンテンツを示すリストが表示されてもよい。なお、図１４に示す例では、コンテンツ集合「コンテンツ３」を示す記録予約情報が記録されている。
【００８９】
（コンテンツの記録処理）
コンテンツの選択処理（Ｓ２０３）を完了すると、レコーダ１００は、図１１に示す手順に従ってコンテンツの記録処理（Ｓ２０５）を行う。
【００９０】
レコーダ１００は、保存媒体情報および記録予約情報を読み出す（Ｓ２４１、Ｓ２４３）。レコーダ１００は、保存媒体情報を用いて、選択された保存媒体の容量を確認し、記録予約情報を用いて、選択されたコンテンツ集合の記録に要する記録時間を確認する。そして、レコーダ１００は、保存媒体の容量およびコンテンツ集合の記録時間から、記録時のビットレートを設定する（Ｓ２４５）。ここで、記録時のビットレートは、選択されたコンテンツ集合に含まれる全てのコンテンツが保存媒体に保存できるように設定される。
【００９１】
ビットレートを設定すると、レコーダ１００は、記録予約情報を用いて、コンテンツの記録処理を開始する。具体的に、記録予約の対象となるコンテンツ集合のコンテンツの提供が開始されると、レコーダ１００は、コンテンツの映像・音声信号を入力し、設定ビットレートでエンコードしてコンテンツを生成し、生成したコンテンツをＨＤに記録する（Ｓ２４７〜Ｓ２５１）。
【００９２】
コンテンツの提供が終了すると、レコーダ１００は、コンテンツの記録を終了し（Ｓ２５３）、記録を終了したコンテンツを示す記録済み情報を更新する（Ｓ２５５）。レコーダ１００は、記録予約の対象となるコンテンツ集合の他のコンテンツについても、同様に記録し、記録済み情報を更新する。
【００９３】
（コンテンツの保存処理）
コンテンツの記録処理（Ｓ２０５）を完了すると、レコーダ１００は、図１２に示す手順に従ってコンテンツの保存処理（Ｓ２０７）を行う。
【００９４】
レコーダ１００は、保存媒体情報および記録済み情報を読み出す（Ｓ２６１、Ｓ２６３）。レコーダ１００は、録画済み情報を用いて、図１５に示すようなコンテンツ保存メニューＭ１３を生成する。コンテンツ保存メニューＭ１３には、記録済みであり、保存可能なコンテンツ集合のリストが表示される（Ｓ２６５）。図１５に示す例では、コンテンツ集合「コンテンツ１」、「コンテンツ２」、「コンテンツ３」が記録済みであり、保存可能となっている。
【００９５】
ユーザーが保存対象となるコンテンツ集合を選択すると（Ｓ２６７）、レコーダ１００は、確認メッセージＭｓｇ２を用いて、保存処理（保存媒体および保存対象となるコンテンツ集合）の確認をユーザーに促す。なお、コンテンツの保存先となる保存媒体は、保存媒体情報を用いて特定される。ここで、選択されたコンテンツ集合に含まれるコンテンツを示すリストが表示されてもよい。
【００９６】
「ＯＫ」ボタンＢ１の操作を通じて保存処理が確認されると、レコーダ１００は、確認メッセージＭｓｇ３を用いて、保存媒体の装着の確認をユーザーに促す。さらに、「ＯＫ」ボタンＢ１の操作を通じて保存媒体の装着が確認されると、レコーダ１００は、保存対象となるコンテンツ集合に含まれる全てのコンテンツをＨＤＤから読み出し、再エンコードせずに、ドライブ間コピー処理により、設定ビットレートで保存媒体に書き込む（Ｓ２６９〜Ｓ２７１）。そして、保存対象となるコンテンツ集合の保存を終了すると（Ｓ２７３）、コンテンツの保存処理（Ｓ２０７）を完了する。
【００９７】
［５．まとめ］
以上説明したように、本実施形態に係るレコーダ１００によれば、予め指定されたＤＶＤ１０等の容量に応じて動画コンテンツのサイズが調整されるように、ビットレート（設定ビットレート）が設定される。そして、コンテンツが設定ビットレートで生成されてＨＤに記録され、記録されているコンテンツ自体がＤＶＤ１０等に書き込まれる。これにより、コンテンツが書込み時のビットレートで予め生成されているので、再エンコード処理なしに、コンテンツのＤＶＤ１０等への書込みが可能となり、動画コンテンツを高速保存することができる。
【００９８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９９】
例えば、上記実施形態の説明では、ＨＤに記録された動画コンテンツをＤＶＤ、ＢＤ等に保存する場合について説明した。しかし、動画コンテンツをＤＶＤ、ＢＤに代えて、メモリスティック、メモリカード等の可搬性の補助記憶（記録）装置に保存してもよい。
【符号の説明】
【０１００】
１０    ＤＶＤ
１００    レコーダ（記録装置）
１０１    チューナ
１０３    ＭＰＥＧエンコーダ（生成部）
１０５    ＨＤドライブ（記録部）
１０７    ＤＶＤ／ＢＤドライブ（書込み部）
１０９    ＭＰＥＧデコーダ
１１１    ＧＵＩ合成部
１１３    信インターフェイス（ＩＦ）
１１５    システム制御部（制御部）
１１７    バス
１１９    リモートコントローラ
１２１    記録制御部
１２３    ドライブ制御部
１２５    ＧＵＩ制御部
１２７    通信制御部
【図１】
2011086340.tif 000003
【図２】
2011086340.tif 000004
【図３】
2011086340.tif 000005
【図４】
2011086340.tif 000006
【図５】
2011086340.tif 000007
【図６】
2011086340.tif 000008
【図７】
2011086340.tif 000009
【図８】
2011086340.tif 000010
【図９】
2011086340.tif 000011
【図１０】
2011086340.tif 000012
【図１１】
2011086340.tif 000013
【図１２】
2011086340.tif 000014
【図１３】
2011086340.tif 000015
【図１４】
2011086340.tif 000016
【図１５】
2011086340.tif 000017